Podtech/llm-jp-corpus-v4-ja_patent huggingface dataset:
【手続補正書】
【提出日】平成16年9月27日(2004.9.27)
【手続補正１】
【補正対象書類名】明細書
【補正対象項目名】特許請求の範囲
【補正方法】変更
【補正の内容】
【特許請求の範囲】
【請求項１】
記録媒体に記録されたデータストリームを再生する再生装置であって、
前記データストリームは、ユーザデータを符号化することによって得られる第１の誤り訂正符号と、制御情報を符号化することによって得られる第２の誤り訂正符号と、同期信号とを含み、前記第１の誤り訂正符号は、第１の訂正能力を有し、前記第２の誤り訂正符号は、前記第１の訂正能力よりも高い第２の訂正能力を有し、前記データストリーム中では、前記第１の誤り訂正符号に対して、前記第２の誤り訂正符号と前記同期信号とが交互にインターリーブされており、
前記再生装置は、
前記データストリームから２値化データを生成する再生部と、
前記２値化データを前記第１の誤り訂正符号および前記第２の誤り訂正符号に復調する復調部であって、前記同期信号の検出結果を生成する同期信号検出手段を含む、復調部と、
前記復調部から出力された前記第１の誤り訂正符号および前記第２の誤り訂正符号における誤りを検出し、前記誤りの訂正を行う誤り訂正部と
を備え、
前記誤り訂正部は、前記第１の誤り訂正符号に対し、前記第２の誤り訂正符号の誤り訂正結果または前記同期信号の検出結果に基づいて消失訂正のための消失フラグを生成する消失フラグ生成手段と、前記消失フラグを用いて消失訂正を行う消失訂正手段とを含み、
前記同期信号検出手段が予測したタイミングと異なるタイミングで前記同期信号を検出した場合、前記消失フラグ生成手段は、前記同期信号より前記データストリームの上流側の前記第１の誤り訂正符号の構成シンボルに前記消失フラグを設定する、再生装置。
【請求項２】
記録媒体に記録されたデータストリームを再生する再生装置であって、
前記データストリームは、ユーザデータを符号化することによって得られる第１の誤り訂正符号と、制御情報を符号化することによって得られる第２の誤り訂正符号と、同期信号とを含み、前記第１の誤り訂正符号は、第１の訂正能力を有し、前記第２の誤り訂正符号は、前記第１の訂正能力よりも高い第２の訂正能力を有し、前記データストリーム中では、前記第１の誤り訂正符号に対して、前記第２の誤り訂正符号と前記同期信号とが交互にインターリーブされており、
前記再生装置は、
前記データストリームから２値化データを生成する再生部と、
前記２値化データを前記第１の誤り訂正符号および前記第２の誤り訂正符号に復調する復調部であって、前記同期信号の検出結果を生成する同期信号検出手段を含む、復調部と、
前記復調部から出力された前記第１の誤り訂正符号および前記第２の誤り訂正符号における誤りを検出し、前記誤りの訂正を行う誤り訂正部と
を備え、
前記誤り訂正部は、前記第１の誤り訂正符号に対し、前記第２の誤り訂正符号の誤り訂正結果または前記同期信号の検出結果に基づいて消失訂正のための消失フラグを生成する消失フラグ生成手段と、前記消失フラグを用いて消失訂正を行う消失訂正手段とを含み、
前記同期信号検出手段が予測したタイミングと異なるタイミングで前記同期信号を検出し、前記同期信号より１つだけ前記データストリームの上流側の前記第２の誤り訂正符号の構成シンボルに誤りを検出した場合、前記消失フラグ生成手段は、前記同期信号より上流の前記第１の誤り訂正符号の構成シンボルに前記消失フラグを設定する、再生装置。
【請求項３】
記録媒体に記録されたデータストリームを再生する再生装置であって、
前記データストリームは、ユーザデータを符号化することによって得られる第１の誤り訂正符号と、制御情報を符号化することによって得られる第２の誤り訂正符号と、同期信号とを含み、前記第１の誤り訂正符号は、第１の訂正能力を有し、前記第２の誤り訂正符号は、前記第１の訂正能力よりも高い第２の訂正能力を有し、前記データストリーム中では、前記第１の誤り訂正符号に対して、前記第２の誤り訂正符号と前記同期信号とが交互にインターリーブされており、
前記再生装置は、
前記データストリームから２値化データを生成する再生部と、
前記２値化データを前記第１の誤り訂正符号および前記第２の誤り訂正符号に復調する復調部であって、前記同期信号の検出結果を生成する同期信号検出手段を含む、復調部と、
前記復調部から出力された前記第１の誤り訂正符号および前記第２の誤り訂正符号における誤りを検出し、前記誤りの訂正を行う誤り訂正部と
を備え、
前記誤り訂正部は、前記第１の誤り訂正符号に対し、前記第２の誤り訂正符号の誤り訂正結果または前記同期信号の検出結果に基づいて消失訂正のための消失フラグを生成する消失フラグ生成手段と、前記消失フラグを用いて消失訂正を行う消失訂正手段とを含み、
前記同期信号検出手段が予測したタイミングと異なるタイミングで前記同期信号を検出し、前記同期信号より１つだけ前記データストリームの上流側の前記第２の誤り訂正符号の構成シンボルに誤りを検出しなかった場合、前記消失フラグ生成手段は、前記第２の誤り訂正符号の構成シンボルから前記同期信号までの間の前記第１の誤り訂正符号の構成シンボルに前記消失フラグを設定する、再生装置。
【請求項４】
前記同期信号検出手段は、前記同期信号の検出タイミングからクロックおよび再生されたビット数を計数し、この計数結果から次の同期信号の検出タイミングを予測する、請求項１〜３のいずれかに記載の再生装置。
【請求項５】
請求項１〜３のいずれかに記載の再生装置に使用する誤り訂正回路であって、前記第１の誤り訂正符号に対し、前記第２の誤り訂正符号の誤り訂正結果または前記同期信号の検出結果に基づいて消失訂正のための消失フラグを生成する消失フラグ生成手段と、前記消失フラグを用いて消失訂正を行う消失訂正手段とを備える、誤り訂正回路。
【請求項６】
前記同期信号検出手段が予測したタイミングと異なるタイミングで前記同期信号を検出した場合、前記消失フラグ生成手段は、前記同期信号より前記データストリームの上流側の前記第１の誤り訂正符号の構成シンボルに前記消失フラグを設定する、請求項５に記載の誤り訂正回路。
【請求項７】
前記同期信号検出手段が予測したタイミングと異なるタイミングで前記同期信号を検出し、前記同期信号より１つだけ前記データストリームの上流側の前記第２の誤り訂正符号の構成シンボルに誤りを検出した場合、前記消失フラグ生成手段は、前記同期信号より上流の前記第１の誤り訂正符号の構成シンボルに前記消失フラグを設定する、請求項５に記載の誤り訂正回路。
【請求項８】
前記同期信号検出手段が予測したタイミングと異なるタイミングで前記同期信号を検出し、前記同期信号より１つだけ前記データストリームの上流側の前記第２の誤り訂正符号の構成シンボルに誤りを検出しなかった場合、前記消失フラグ生成手段は、前記第２の誤り訂正符号の構成シンボルから前記同期信号までの間の前記第１の誤り訂正符号の構成シンボルに前記消失フラグを設定する、請求項５に記載の誤り訂正回路。
【請求項９】
前記同期信号検出手段は、前記同期信号の検出タイミングからクロックおよび再生されたビット数を計数し、この計数結果から次の同期信号の検出タイミングを予測する、請求項６〜８に記載の誤り訂正回路。
【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
各々連続的に再生すべき複数のストリーミングデータ又は連続的に繰り返して再生すべき１つのストリーミングデータのうち、少なくとも一方が記録されたディスク状記録媒体からデータ読み取りヘッドが所定のストリーミングデータを読み取ることにより該ディスク状記録媒体を再生するディスク再生装置において、
少なくとも上記データ読み取りヘッドの最大シーク実行時間分に相当するデータ量以上の記憶容量を備え、上記ディスク状記録媒体から読み出されたストリーミングデータの先頭部分のデータを記憶する先頭キャッシュ部と、
上記ストリーミングデータから上記先頭部分を除いた残りのデータを記憶すると同時にリングバッファとして用いられるリングバッファ部と、
上記先頭キャッシュ部及びリングバッファ部に対するデータの記憶及び読み出しを制御すると共に、上記データ読み取りヘッドのシーク実行中には上記先頭キャッシュ部に記憶されたデータから順に読み出すよう制御する制御部とを有する
ことを特徴とするディスク再生装置。
【請求項２】
請求項１記載のディスク再生装置であって、
上記制御部は、上記再生するストリーミングデータのデータ量が上記先頭キャッシュ部及びリングバッファ部の総記憶容量を超える場合、該総記憶容量を超えた残りのデータを既に上記ストリーミングデータが記憶されている上記リングバッファ部に対して上書きにより記憶させる制御を実行する
ことを特徴とするディスク再生装置。
【請求項３】
請求項１又は請求項２記載のディスク再生装置であって、
上記ディスク状記録媒体には、上記複数のストリーミングデータが記録され、
上記先頭キャッシュ部と上記リングバッファ部とは、複数組設けられ、
上記制御部は、各組毎に、それぞれ異なったストリーミングデータの記憶及び読み出しを行う制御を実行する
ことを特徴とするディスク再生装置。
【請求項４】
各々連続的に再生すべき複数のストリーミングデータ又は連続的に繰り返して再生すべき１つのストリーミングデータのうち、少なくとも一方が記録されたディスク状記録媒体を再生するディスク再生方法において、
上記ディスク状記録媒体から読み出されたストリーミングデータのうち、少なくとも上記データ読み取りヘッドのシーク実行時間分に相当するデータ量以上となる先頭部分のデータを先頭キャッシュ部に記憶させる制御を、制御部が実行し、
上記ストリーミングデータから上記先頭部分を除いた残りのデータを、リング状にバッファリングすることによりリングバッファ部に記憶させる制御を、上記制御部が実行し、
上記データ読み取りヘッドのシーク実行中には上記先頭キャッシュ部に記憶された先頭部分のデータから順に読み出す制御を、上記制御部が実行する
ことを特徴とするディスク再生方法。
【請求項５】
各々連続的に再生すべき複数のストリーミングデータ又は連続的に繰り返して再生すべき１つのストリーミングデータのうち、少なくとも一方が記録されたディスク状記録媒体より読み出されたストリーミングデータのうち、少なくともデータ読み取りヘッドのシーク実行時間分に相当するデータ量以上となる先頭部分のデータを、先頭キャッシュ部に記憶させる制御を、制御部が実行する先頭キャッシュステップと、
上記ストリーミングデータから上記先頭部分を除いた残りのデータを、リング状にバッファリングすることによりリングバッファ部に記憶させる制御を、上記制御部が実行するリングバッファステップと、
上記データ読み取りヘッドのシーク実行中には上記先頭キャッシュ部に記憶された先頭部分のデータから順に読み出す制御を、上記制御部が実行するメモリ読み取りステップとを
コンピュータに実行させるためのメモリ制御プログラム。
【請求項６】
請求項５記載のメモリ制御プログラムであって、
上記リングバッファステップでは、上記再生するストリーミングデータのデータ量が上記先頭キャッシュ部及びリングバッファ部の総記憶容量を超える場合、該総記憶容量を超えた残りのデータを既に上記ストリーミングデータが記憶されている上記リングバッファ部に対して上書きにより記憶させる制御を、上記制御部が実行する
ことを特徴とするメモリ制御プログラム。
【請求項７】
請求項５又は請求項６記載のメモリ制御プログラムを記録したことを特徴とするコンピュータ読み取り可能な記録媒体。
【手続補正書】
【提出日】平成16年3月24日(2004.3.24)
【手続補正１】
【補正対象書類名】明細書
【補正対象項目名】発明の名称
【補正方法】変更
【補正の内容】
【発明の名称】記録方法及び記録媒体
【手続補正２】
【補正対象書類名】明細書
【補正対象項目名】特許請求の範囲
【補正方法】変更
【補正の内容】
【特許請求の範囲】
【請求項１】
欠陥領域と認識される記録制限された記録制限領域を有する記録媒体を準備し、
前記記録制限領域の前記記録制限を解除して、前記記録制限領域への情報の記録が可能となるようにさせる工程と、
前記記録制限領域に、新たな情報の記録を行う工程とを有することを特徴とする記録方法。
【請求項２】
前記記録制限は前記記録制限領域の配置情報を読み出し不能にすることによって行われ、
前記制限を解除する工程は、前記領域の配置情報を前記媒体に記録する工程であることを特徴とする請求項１記載の記録方法。
【請求項３】
前記記録制限は前記記録制限領域の配置情報を読み出し不能にすることによって行われ、
前記制限を解除する工程は、前記領域の配置情報をソフトウエア上に記録する工程であることを特徴とする請求項１記載の記録方法。
【請求項４】
前記記録媒体を準備した後、前記解除の前に、前記記録媒体に記録命令がなされる工程を有し、
前記記録命令がなされた際に、所定の情報の表示の命令を出す工程を有することを特徴とする請求項１乃至３何れかに記載の記録方法。
【請求項５】
前記所定の情報は広告であることを特徴とする請求項４に記載の記録方法。
【請求項６】
前記所定の情報は、記録媒体に記録されていることを特徴とする請求項１乃至５何れかに記載の記録方法。
【請求項７】
前記所定の情報は、ソフトウエアに記録されていることを特徴とする請求項１乃至５何れかに記載の記録方法。
【請求項８】
前記所定の情報は、外部情報配信手段を介して表示されることを特徴とする請求項１乃至５何れかに記載の記録方法。
【請求項９】
前記記録制限は、前記記録制限領域のアドレス情報のＩＤエラー検出符号と、前記ＩＤエラー検出符号に対応するＩＤとを不整合とすることによって、記録を制限し、
前記解除は、前記不整合とされた前記ＩＤエラー検出符号と前記ＩＤとを整合させるようにすることであることを特徴とする請求項１乃至８何れかに記載の記録方法。
【請求項１０】
前記記録制限は前記記録制限領域の配置情報を読み出し不能にすることによって行われ、
前記情報の消去動作により、前記配置情報も消去されることを特徴とする請求項１記載の記録方法。
【請求項１１】
欠陥領域と認識される記録制限領域と、前記記録制限領域の位置情報に関する情報を暗号化して記録された記録媒体を準備し、
所定のソフトウエアを用いて、前記暗号化された位置情報に関する情報を解読することを特徴とする情報の記録方法。
【請求項１２】
前記記録制限領域は、前記記録媒体のユーザ領域に分散して配置されたことを特徴とする請求項１１記載の情報の記録方法。
【請求項１３】
欠陥領域と認識されるように記録制限され、所定の情報を読み出すことによって前記記録制限が解除されるようにされた記録制限領域を有することを特徴とする記録媒体。
【請求項１４】
前記記録制限は、前記記録制限領域の配置情報を読み出し不能とすることによって行われたことを特徴とする請求項１３記載の記録媒体。
【請求項１５】
前記所定の情報と前記配置情報が同位置に記録されていることを特徴とする請求項１３記載の記録媒体。
【請求項１６】
前記所定の情報は広告であることを特徴とする請求項１３乃至１５記載の記録媒体。
【手続補正書】
【提出日】平成16年10月4日(2004.10.4)
【手続補正１】
【補正対象書類名】明細書
【補正対象項目名】００３４
【補正方法】変更
【補正の内容】
【００３４】
１−２．プリレコーデッド情報。
図４に、プリレコーデッドデータゾーンにおけるウォブリンググルーブを形成するための、プリレコーデッド情報の変調方法を示す。
変調はＦＭコードをつかう。
図４（ａ）にデータビット、図４（ｂ）にチャンネルクロック、図４（ｃ）にＦＭコード、図４（ｄ）にウォブル波形を縦に並べて示している。
データの１bitは２ｃｈ（２チャンネルクロック）であり、ビット情報が「１」のとき、ＦＭコードはチャンネルクロックの１／２の周波数とされる。
またビット情報が「０」のとき、ＦＭコードはビット情報「１」の１／２の周波数であらわされる。
ウォブル波形としては、ＦＭコードを矩形波を直接記録することもあるが、図４（ｄ）に示すように正弦波状の波形で記録することもある。
【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
互いに接続される接点を有する一対の印刷配線基板と、
上記印刷配線基板同士を接続するためのねじ部材と、
外観部品であって、その外観面の裏面に設けられ、上記ねじ部材が螺合されるボス部を有し、このボス部の周囲に上記印刷配線基板同士を圧接させるための上記ボス部周方向に不連続な複数の突部を有した固定台と、
を具備したことを特徴とする印刷配線基板接続装置。
【請求項２】
上記突部は、上記ボス部の周囲に放射状に配列されてなることを特徴とする請求項１記載の印刷配線基板接続装置。
【請求項３】
互いに接続される接点を有する一対の印刷配線基板と、
上記印刷配線基板同士を接続するためのねじ部材と、
外観部品であって、その外観面の裏面に設けられ、上記ねじ部材が螺合されるボス部と、
上記ボス部の周囲に嵌合されて取り付けられ、上記印刷配線基板同士が接続された状態で、圧接される台座部品と、
を具備したことを特徴とする印刷配線基板接続装置。
【手続補正２】
【補正対象書類名】明細書
【補正対象項目名】０００８
【補正方法】変更
【補正の内容】
【０００８】
【課題を解決するための手段】
この発明は、互いに接続される接点を有する一対の印刷配線基板と、上記印刷配線基板同士を接続するためのねじ部材と、外観部品であって、その外観面の裏面に設けられ、上記ねじ部材が螺合されるボス部を有し、このボス部の周囲に上記印刷配線基板同士を圧接させるための上記ボス部周方向に不連続な複数の突部を有した固定台と、を備えて印刷配線基板接続装置を構成した。
【手続補正３】
【補正対象書類名】明細書
【補正対象項目名】０００９
【補正方法】変更
【補正の内容】
【０００９】
上記構成によれば、印刷配線基板同士を接続するための固定台を、ボス部のねじ部材との嵌合長を確保したうえで、その突部の接合幅を最小限に保つことが可能となり、外観部品に形成した場合においても、その成型時における外観面に発生する虞のある湯ひけの防止が図れる。これにより、印刷配線基板同士を接合するためのボス部及び突部を、外観部品に直接的に形成することが可能となり、設計を含む機器製作の自由度の向上に寄与できる。
【手続補正４】
【補正対象書類名】明細書
【補正対象項目名】００１０
【補正方法】変更
【補正の内容】
【００１０】
また、この発明は、互いに接続される接点を有する一対の印刷配線基板と、上記印刷配線基板同士を接続するためのねじ部材と、外観部品であって、その外観面の裏面に設けられ、上記ねじ部材が螺合されるボス部と、上記ボス部の周囲に嵌合されて取り付けられ、上記印刷配線基板同士が接続された状態で、圧接される台座部品と、を備えて印刷配線基板接続装置を構成した。
【手続補正５】
【補正対象書類名】明細書
【補正対象項目名】００１１
【補正方法】変更
【補正の内容】
【００１１】
上記構成によれば、印刷配線基板同士を接続するためのボス部を、ねじ部材との嵌合長を確保したうえで、このボス部に対して台座部品を補うことにより、これらボス部及び台座部品を用いて印刷配線基板同士の接合が行われる。従って、外観部品に形成した場合においても、その成型時、外観面に発生する虞のある湯ひけの防止が図れる。これにより、印刷配線基板同士を接合するためのボス部を、外観部品に直接的に形成することが可能となり、設計を含む機器製作の自由度の向上に寄与できる。
【手続補正書】
【提出日】平成16年9月10日(2004.9.10)
【手続補正１】
【補正対象書類名】明細書
【補正対象項目名】特許請求の範囲
【補正方法】変更
【補正の内容】
【特許請求の範囲】
【請求項１】
顧客の精算を行う精算装置であって、
顧客の精算方法の入力を受け付ける精算方法入力手段と、
前記精算方法入力手段において受け付けた精算方法を元に、レジにおける顧客の待ち時間を求める待ち時間計算手段と、
前記待ち時間計算手段で求めた待ち時間を顧客に提示する提示手段と
を有することを特徴とする精算装置。
【請求項２】
前記待ち時間計算手段が、顧客群の精算順を、前記精算方法入力手段において受け付けた精算方法に従った優先順でソートした結果をもとに、顧客の待ち時間を求めることを特徴とする請求項１に記載の精算装置。
【請求項３】
前記提示手段が、顧客がレジまで移動するのに必要とされる時間を減算した時間を、待ち時間として提示することを特徴とする請求項１あるいは請求項２に記載の精算装置。
【請求項４】
前記待ち時間計算手段が、顧客の人数に応じてレジにおける顧客の待ち時間を求めることを特徴とする請求項１から請求項３のいずれかに記載の精算装置。
【請求項５】
顧客の精算を行う精算装置において実行されるプログラムであって、
顧客の精算方法の入力を受け付ける精算方法入力ステップと、
前記精算方法入力ステップにおいて受け付けた精算方法を元に、レジにおける顧客の待ち時間を求める待ち時間計算ステップと、
前記待ち時間計算ステップで求めた待ち時間を顧客に提示する提示ステップと
としてコンピュータに機能させるための精算プログラム。
【請求項６】
前記待ち時間計算ステップが、顧客群の精算順を、前記精算方法入力ステップにおいて受け付けた精算方法に従った優先順でソートした結果をもとに、顧客の待ち時間を求めることを特徴とする請求項５に記載の精算プログラム。
【請求項７】
前記提示ステップが、顧客がレジまで移動するのに必要とされる時間を減算した時間を、待ち時間として提示することを特徴とする請求項５あるいは請求項６に記載の精算プログラム。
【請求項８】
前記待ち時間計算ステップが、顧客の人数に応じてレジにおける顧客の待ち時間を求めることを特徴とする請求項５から請求項７のいずれかに記載の精算プログラム。
【手続補正書】
【提出日】平成16年8月6日(2004.8.6)
【手続補正１】
【補正対象書類名】明細書
【補正対象項目名】特許請求の範囲
【補正方法】変更
【補正の内容】
【特許請求の範囲】
【請求項１】
挿入された帳票を取り扱う手段を有する自動取引装置であって、
上記自動取引装置に挿入された帳票の処理を棄却した場合又は上記自動取引が中止された場合に、上記挿入された帳票を排出する手段と、窓口における受付番号を記載した番号札を発行する手段と、窓口に廻るよう指示を出す手段とを有することを特徴とする自動取引装置。
【請求項２】
上記番号札を発行した旨と、上記帳票処理を棄却した時刻又は上記帳票を受け付けた時刻又は上記番号札の発行時刻の少なくとも何れか一方を、窓口業務サポート装置及び上記自動取引装置以外の自動取引装置に送信する手段をさらに有することを特徴とする請求項１記載の自動取引装置。
【請求項３】
利用者が指示を入力する操作部と、処理状況等を表示する表示装置と、外部の装置と情報を交換するデータ転送装置と、挿入される帳票を扱う帳票取扱装置と、上記帳票を光学的に読取る光学的読取装置と、上記光学的読取装置により撮像された電子的画像データから上記帳票に記された情報を読取る画像認識装置と、印字装置と、これら各装置の動作や情報の入出力を制御する中央演算装置とを有する自動取引装置において、
上記演算装置は帳票取り扱い処理が棄却又は中止された場合に窓口受付番号札を発行する手段を制御し、上記印字装置は上記番号札を印字し、上記データ転送装置は上記番号札発行の情報及び上記画像認識装置での認識結果を送信することを特徴とする自動取引装置。
【請求項４】
上記画像認識装置が読取った情報を上記表示装置に表示し、自動処理の可否についての判断を上記入力装置から入力させる手段を有することを特徴とする請求項３記載の自動取引装置。
【請求項５】
挿入された帳票の画像を入力し、その後該帳票の処理を棄却または中止した場合に窓口用番号札を発行する自動取引装置及び窓口用番号札発券機との通信を行う手段と、
上記自動取引装置から上記番号札についての情報とこれに対応する帳票の情報を受信する手段と、上記帳票の情報の表示手段を有することを特徴とする窓口サポート用装置。
【請求項６】
上記自動取引装置からの情報は上記取引装置が帳票を受け付けた時刻を含み、
上記窓口用受付番号札発券機からの情報は該受付番号札の発行時刻であり、
上記帳票受付時刻と上記発行時刻を比較し、上記時刻の時系列に従って上記受付番号を表示することを特徴とする請求項５記載の窓口サポート用装置。
【請求項７】
上記自動取引装置及び上記窓口用受付番号札発券機からの情報は受付番号札の発行時刻であり、
上記自動取引装置からの発行時刻から上記取引装置における帳票受付から棄却までの平均時間を引いた時刻と上記窓口用番号札発券機からの発行時刻を比較し、
上記時刻の時系列に従って上記受付番号を表示することを特徴とする請求項５記載の窓口サポート用装置。
【請求項８】
自動取引装置と窓口用番号札発券機と窓口サポート用装置からなるシステムであって、
上記自動取引装置は挿入された帳票についての処理を棄却した場合又は中断された場合に窓口用番号札を発行する手段と、上記番号札の発行時刻又は上記帳票受付時刻の少なくとも何れか一方についての情報を上記窓口サポート用装置に送信する手段を有し、
上記窓口用番号札発券機は利用者の要求に応じて窓口用番号札を発行する手段と、上記発行時刻情報を上記窓口サポート装置に送信する手段とを有し、
上記窓口サポート用装置は上記自動取引装置と上記窓口用番号札発券機から送信される時刻情報を受信する手段と、上記時刻情報に基づいて窓口受付の管理を行う手段を有することを特徴とする取引システム。
【手続補正書】
【提出日】平成17年6月14日(2005.6.14)
【手続補正１】
【補正対象書類名】明細書
【補正対象項目名】請求項５
【補正方法】変更
【補正の内容】
【請求項５】
前記一般式（５）が下記一般式（６）で表される化合物であることを特徴とする請求項４に記載の発光素子。
一般式（６）
【化３】
2003123982.tif 000001
（式中、Ｚ61、ｎ61、Ｌ61はそれぞれ前記Ｚ51、ｎ51、Ｌ51と同義である。Ｑ61は含窒素へテロ環を形成するに必要な原子群を表す。ｍ61は１〜３の整数を表し、ｍ62は０〜４の整数を表す。）
【手続補正２】
【補正対象書類名】明細書
【補正対象項目名】請求項６
【補正方法】変更
【補正の内容】
【請求項６】
Ｌ51またはＬ61が、窒素原子、酸素原子、硫黄原子、及びりん原子の群から選ばれる少なくとも一つの原子が金属原子に配位する配位子である請求項４又は５に記載の発光素子。
【手続補正３】
【補正対象書類名】明細書
【補正対象項目名】請求項７
【補正方法】変更
【補正の内容】
【請求項７】
Ｌ51またはＬ61が、２つの窒素原子で金属に配位する２座配位子、窒素原子と酸素原子で金属に配位する２座配位子、又は２つの酸素原子で金属に配位する２座配位子である請求項４又は５に記載の発光素子。
【手続補正４】
【補正対象書類名】明細書
【補正対象項目名】００２０
【補正方法】変更
【補正の内容】
【００２０】
リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。これらの置換基は、前に述べたＹ11における炭素原子上の置換基に置換されてもよい。
【手続補正５】
【補正対象書類名】明細書
【補正対象項目名】００５１
【補正方法】変更
【補正の内容】
【００５１】
一般式（６）について説明する。式中、Ｚ61、ｎ61、Ｌ61はそれぞれ前記Ｚ51、ｎ51、Ｌ51と同義である。Ｑ61は含窒素へテロ環を形成するに必要な原子群を表す。ｍ61は１〜３の整数を表し、ｍ62は０〜４の整数を表す。
【手続補正書】
【提出日】平成16年3月31日(2004.3.31)
【手続補正１】
【補正対象書類名】明細書
【補正対象項目名】００２９
【補正方法】変更
【補正の内容】
【００２９】
感光ドラム１０５は予め一次帯電器２４２にて、一様に帯電を施されているため、レーザ露光によって感光ドラム１０５上に静電潜像が形成される。また感光体１０５の周囲にはマゼンタ（Ｍ）２１９、シアン（Ｃ）２２０、イエロー（Ｙ）２２１、ブラック（Ｋ）２２２の現像器が設けられ、感光ドラム１０５が４回転する間に４つの現像器が交互に該感光ドラムに接し、感光ドラム１０５上に形成されたＭ、Ｃ、Ｙ、Ｋの静電潜像に対応するトナーで現像する。
【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
真空室と、真空室内に配置され、かつターゲットを載置する電極と、電極に電力を印加する電源と、電極に対向して配置され、かつ基板を載置する基板保持台とを有するスパッタリング装置において、電極の周囲を取り囲むとともに基板保持台近傍まで延出させて配設されるチムニーに温度制御手段を設けたことを特徴とするスパッタリング装置。
【請求項２】
温度制御手段は、チムニー内に形成された冷却流体通路と、冷却流体通路に冷却流体を供給する手段にて構成したことを特徴とする請求項１記載のスパッタリング装置。
【請求項３】
真空室内で、電極に装着したターゲットから放出されるスパッタ粒子によりターゲットに対向して配置された基板表面に薄膜を生成する成膜方法において、成膜中に電極と基板近傍との間の周囲を取り囲むチムニーの温度を一定に保持することを特徴とする成膜方法。
【請求項４】
真空室と、真空室内に配置され、かつターゲットを載置する電極と、電極に電力を印加する電源と、電極に対向して配置され、かつ基板を載置する基板保持台とを有するスパッタリング装置において、電極の周囲を取り囲むとともに基板保持台近傍まで延出させて配設される部材を有し、前記部材は基板保持台に対向する側に開口部を備え、かつ温度制御手段を設けられたことを特徴とするスパッタリング装置。
【手続補正２】
【補正対象書類名】明細書
【補正対象項目名】０００６
【補正方法】変更
【補正の内容】
【０００６】
【課題を解決するための手段】
本発明のスパッタリング装置は、真空室と、真空室内に配置され、かつターゲットを載置する電極と、電極に電力を印加する電源と、電極に対向して配置され、かつ基板を載置する基板保持台とを有するスパッタリング装置において、電極の周囲を取り囲むとともに基板保持台近傍まで延出させて配設されるチムニーに温度制御手段を設けたものであり、成膜中のチムニーの温度を一定にすることにより、チムニーからのデガス量を一定にすることができ、プロセスガスの分圧を一定にでき、連続処理中の基板間の膜厚が変化しない高品位な膜を成膜することができる。
また、真空室と、真空室内に配置され、かつターゲットを載置する電極と、電極に電力を印加する電源と、電極に対向して配置され、かつ基板を載置する基板保持台とを有するスパッタリング装置において、電極の周囲を取り囲むとともに基板保持台近傍まで延出させて配設される部材を有し、前記部材は基板保持台に対向する側に開口部を備え、かつ温度制御手段を設けられた構成であっても同様の作用効果を奏することができる。
【手続補正３】
【補正対象書類名】明細書
【補正対象項目名】００１５
【補正方法】変更
【補正の内容】
【００１５】
【発明の効果】
本発明のスパッタリング装置によれば、以上のように電極の周囲を取り囲むとともに基板保持台近傍まで延出させて配設されるチムニー、又は電極の周囲を取り囲むとともに基板保持台近傍まで延出させて配設されかつ基板保持台に対向する側に開口部を備える部材に温度制御手段を設けたので、成膜中のチムニーや前記部材の温度を一定にすることにより、チムニーや前記部材からのデガス量を一定にすることができ、プロセスガスの分圧を一定にでき、連続処理中の基板間の膜厚が変化しない高品位な膜を成膜することができ、所望の高性能の薄膜デバイスを製造することができる。
【手続補正書】
【提出日】平成17年7月19日(2005.7.19)
【手続補正１】
【補正対象書類名】明細書
【補正対象項目名】００１１
【補正方法】変更
【補正の内容】
【００１１】
更に、係数ビットモデリング部１０８は、各ビットプレーン１２２k（ｋ＝０〜ｎ−１）内の各ビットのコンテクスト（context）判定を行い、図２６に示すように、各ビットの有意性（判定結果）に応じて、ビットプレーン１２２kを３種類の符号化パス、すなわち、ＳＩＧパス（SIGnificance propagation pass），ＭＲパス（Magnitude Refinement pass），ＣＬパス（CLeanup pass）に分解する。各符号化パスに関するコンテクスト判定のアルゴリズムは、ＥＢＣＯＴで定められている。それによれば、「有意である」とは、これまでの符号化処理において注目係数がゼロでないとわかっている状態のことを意味し、「有意で無い」とは、係数値がゼロであるか、或いはゼロである可能性がある状態のことを意味する。
【手続補正２】
【補正対象書類名】明細書
【補正対象項目名】００５２
【補正方法】変更
【補正の内容】
【００５２】
係数ビットモデリング部２０は、図２２に示した係数ビットモデリング部１０８と同様に、入力する変換係数ＱＤの帯域成分を３２×３２や６４×６４程度のコードブロックに分割し、更に、各コードブロックを、各ビットを２次元配列して構成される複数のビットプレーンに分解する。この結果、各コードブロックは、図２５に示したような複数のビットプレーン１２２0〜１２２n-1に分解される。係数ビットモデリング部２０は、更に、各ビットのコンテクスト判定を行い、各ビットプレーンを３種類のＳＩＧパス（SIGnificance propagation pass）、ＭＲパス（Magnitude Refinement pass）およびＣＬパス（CLeanup pass）の符号化パスに分解して符号化し、その結果得た符号化データＢＤを出力する。
【手続補正３】
【補正対象書類名】図面
【補正対象項目名】図８
【補正方法】変更
【補正の内容】
【図８】
2004064104.tif 000001
【手続補正４】
【補正対象書類名】図面
【補正対象項目名】図９
【補正方法】変更
【補正の内容】
【図９】
2004064104.tif 000002
【手続補正５】
【補正対象書類名】図面
【補正対象項目名】図１０
【補正方法】変更
【補正の内容】
【図１０】
2004064104.tif 000003
【手続補正６】
【補正対象書類名】図面
【補正対象項目名】図２６
【補正方法】変更
【補正の内容】
【図２６】
2004064104.tif 000004
【手続補正書】
【提出日】平成17年7月25日(2005.7.25)
【手続補正１】
【補正対象書類名】明細書
【補正対象項目名】特許請求の範囲
【補正方法】変更
【補正の内容】
【特許請求の範囲】
【請求項１】
画像出力装置の色再現特性を格納したプロファイルを作成する色処理装置であって、
前記画像出力装置へ色票の画像データを出力する出力手段と、
前記画像出力装置によって出力された画像の観察環境下における反射光を測光した測光値を入力する入力手段と、
入力される測光値と前記色票の画像データの対応関係を示す情報を生成する生成手段と、
前記情報に基づき、前記画像出力装置に供給するプロファイルを作成する作成手段とを有することを特徴とする色処理装置。
【請求項２】
前記情報は、入力色信号に対応する色票の画像データと、出力色信号に対応する前記測光値を対応付ける多次元ルックアップテーブルであることを特徴とする請求項1に記載された色処理装置。
【請求項３】
前記測光値は、分光放射輝度値から算出された測色値であることを特徴とする請求項1または請求項2に記載された色処理装置。
【請求項４】
前記入力色信号は前記画像出力装置に依存しない色空間上の色信号であり、前記出力色信号は前記画像出力装置に依存する色空間上の色信号であることを特徴とする請求項3に記載された色処理装置。
【請求項５】
画像出力装置の色再現特性を格納したプロファイルを作成する色処理方法であって、
前記画像出力装置へ色票の画像データを出力し、
前記画像出力装置によって出力された画像の観察環境下における反射光を測光した測光値を入力し、
入力される測光値と前記色票の画像データの対応関係を示す情報を生成し、
前記情報に基づき、前記画像出力装置に供給するプロファイルを作成することを特徴とする色処理方法。
【請求項６】
画像処理装置を制御して、請求項5に記載された色処理を実行することを特徴とするプログラム。
【請求項７】
請求項6に記載されたプログラムが記録されたことを特徴とする記録媒体。
【手続補正２】
【補正対象書類名】明細書
【補正対象項目名】０００６
【補正方法】変更
【補正の内容】
【０００６】
本発明にかかる色処理装置は、画像出力装置の色再現特性を格納したプロファイルを作成する色処理装置であって、前記画像出力装置へ色票の画像データを出力する出力手段と、前記画像出力装置によって出力された画像の観察環境下における反射光を測光した測光値を入力する入力手段と、入力される測光値と前記色票の画像データの対応関係を示す情報を生成する生成手段と、前記情報に基づき、前記画像出力装置に供給するプロファイルを作成する作成手段とを有することを特徴とする。
【手続補正３】
【補正対象書類名】明細書
【補正対象項目名】０００７
【補正方法】変更
【補正の内容】
【０００７】
本発明にかかる色処理方法は、画像出力装置の色再現特性を格納したプロファイルを作成する色処理方法であって、前記画像出力装置へ色票の画像データを出力し、前記画像出力装置によって出力された画像の観察環境下における反射光を測光した測光値を入力し、入力される測光値と前記色票の画像データの対応関係を示す情報を生成し、前記情報に基づき、前記画像出力装置に供給するプロファイルを作成することを特徴とする。
【手続補正書】
【提出日】平成17年7月19日(2005.7.19)
【手続補正１】
【補正対象書類名】明細書
【補正対象項目名】００１０
【補正方法】変更
【補正の内容】
【００１０】
更に、係数ビットモデリング部１０８は、各ビットプレーン１２２k（ｋ＝０〜ｎ−１）内の各ビットのコンテクスト（context）判定を行い、図２７に示すように、各ビットの有意性（判定結果）に応じて、ビットプレーン１２２kを３種類の符号化パス、すなわち、ＳＩＧパス（SIGnificance propagation pass），ＭＲパス（Magnitude Refinement pass），ＣＬパス（CLeanup pass）に分解する。各符号化パスに関するコンテクスト判定のアルゴリズムは、ＥＢＣＯＴで定められている。それによれば、「有意である」とは、これまでの符号化処理において注目係数がゼロでないとわかっている状態のことを意味し、「有意で無い」とは、係数値がゼロであるか、或いはゼロである可能性がある状態のことを意味する。
【手続補正２】
【補正対象書類名】明細書
【補正対象項目名】０１３４
【補正方法】変更
【補正の内容】
【０１３４】
以下、レイヤー分割処理について説明する。ＭＭＵ３は、入力ビットストリームを大容量の記憶装置２に一時的に記憶させる。レイヤー分割制御部７は、ＭＭＵ３から圧縮符号化データのデータ構造情報ＤＳを取得する。次いで、レイヤー分割制御部７は、優先度テーブル６から優先度データＰＳ２を取得し、この優先度データＰＳ２に含まれる優先度に従って、圧縮符号化データの各帯域成分の変換係数を所定ビット数だけシフトさせる。これにより、各帯域成分の変換係数に対して優先度が設定される。優先度の設定方法としては、上記した第１実施例、第２実施例および第３実施例の方法を採用すればよい。
【手続補正３】
【補正対象書類名】明細書
【補正対象項目名】０１３５
【補正方法】変更
【補正の内容】
【０１３５】
図２２は、優先度に対応するビット数だけシフトされた変換係数４５，４５，…を例示する模式図である。各帯域成分ＬＬ５〜ＨＨ１の変換係数４５，４５，…は、優先度のビット数だけ右ビットシフト或いは左ビットシフトされている。また、各変換係数４４の各ビットに付した番号０，１，…，１０は、当該ビットが属するビットプレーンの番号を示している。ここで、ＬＳＢ番号＝０，ＭＳＢ番号＝１０、である。
【手続補正４】
【補正対象書類名】図面
【補正対象項目名】図９
【補正方法】変更
【補正の内容】
【図９】
2004064115.tif 000001
【手続補正５】
【補正対象書類名】図面
【補正対象項目名】図１０
【補正方法】変更
【補正の内容】
【図１０】
2004064115.tif 000002
【手続補正６】
【補正対象書類名】明細書
【補正対象項目名】図１１
【補正方法】変更
【補正の内容】
【図１１】
2004064115.tif 000003
【手続補正７】
【補正対象書類名】図面
【補正対象項目名】図１２
【補正方法】変更
【補正の内容】
【図１２】
2004064115.tif 000004
【手続補正８】
【補正対象書類名】明細書
【補正対象項目名】図２２
【補正方法】変更
【補正の内容】
【図２２】
2004064115.tif 000005
【手続補正９】
【補正対象書類名】図面
【補正対象項目名】図２７
【補正方法】変更
【補正の内容】
【図２７】
2004064115.tif 000006
【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
同期モータに流れる電流を検出する電流検出手段と、指令速度に従って制御処理を行う制御回路とを具備した同期モータの制御装置において、
前記制御回路が、前記電流検出手段により検出したモータ電流から励磁電流を演算する座標変換手段と、励磁電流指令発生手段と、インバータ回路の出力電圧を、モータ定数設定値と、励磁電流指令と前記励磁電流とを用いて決定する電圧指令発生手段と、励磁電流指令と前記励磁電流が一致するように電圧補正量を作成する電圧指令補正手段とを備え、前記電圧補正量と予め設定した所定値とを比較して前記同期モータの脱調を検出することを特徴とする同期モータの制御装置。
【請求項２】
請求項１に記載の同期モータの制御装置において、前記モータ定数設定値がモータ発電定数設定値であって、前記電圧補正量が、該モータ発電定数設定値を補正するモータ発電定数補正値であることを特徴とする同期モータの制御装置。
【請求項３】
請求項２に記載の同期モータの制御装置において、前記電流検出手段が、直流電源から前記インバータ回路に流れる直流電流を検出し、該直流電流からモータ電流を検出することを特徴とする同期モータの制御装置。
【請求項４】
請求項２に記載の同期モータの制御装置において、前記電圧補正量であるモータ発電定数補正値が、前記モータ発電定数設定値の０〜６０％であることを特徴とする同期モータの制御装置。
【請求項５】
パッケージに、直流電圧を３相交流電圧に変換して同期モータを駆動するインバータ回路と、指令速度に従って制御処理を行う制御回路と、前記インバータ回路を駆動するドライバとを含む同期モータの制御モジュールにおいて、
前記制御回路が、モータ電流から励磁電流を演算する座標変換手段と、励磁電流指令発生手段と、インバータ回路の出力電圧を、モータ定数設定値と、励磁電流指令と前記励磁電流とを用いて決定する電圧指令発生手段と、励磁電流指令と前記励磁電流が一致するように電圧補正量を作成する電圧指令補正手段とを備え、前記電圧補正量と予め設定した所定値とを比較して前記同期モータの脱調を検出することを特徴とする同期モータの制御モジュール。
【請求項６】
請求項５において、前記制御モジュールが同期モータに流れる電流を検出する電流検出手段を内蔵していることを特徴とする同期モータの制御モジュール。
【請求項７】
請求項５において、前記インバータ回路の半導体スイッチング素子がＩＧＢＴであることを特徴とする同期モータの制御モジュール。
【請求項８】
冷媒を圧縮する圧縮機を備えた室外機と、圧縮した冷媒を断熱膨張させる室内機とを備えた空調機において、
前記圧縮機を駆動する同期モータの制御装置が、直流電圧を３相交流電圧に変換して同期モータを駆動するインバータ回路と、同期モータに流れる電流を検出する電流検出手段と、指令速度に従って制御処理を行う制御回路と、前記インバータ回路を駆動するドライバとを具備し、
前記制御回路が、前記電流検出手段により検出したモータ電流から励磁電流を演算する座標変換手段と、励磁電流指令発生手段と、インバータ回路の出力電圧を、モータ定数設定値と、励磁電流指令と前記励磁電流とを用いて決定する電圧指令発生手段と、励磁電流指令と前記励磁電流が一致するように電圧補正量を作成する電圧指令補正手段とを備え、前記電圧補正量と予め設定した所定値とを比較して前記同期モータの脱調を検出することを特徴とする空調機。
【請求項９】
冷蔵室と、冷凍室と、冷媒を圧縮する圧縮機と、凝縮器と、冷凍室用蒸発器と、冷蔵室用蒸発器とを備えた冷蔵庫において、
前記圧縮機を駆動する同期モータの制御装置が、直流電圧を３相交流電圧に変換して同期モータを駆動するインバータ回路と、同期モータに流れる電流を検出する電流検出手段と、指令速度に従って制御処理を行う制御回路と、前記インバータ回路を駆動するドライバとを具備し、
前記制御回路が、前記電流検出手段により検出したモータ電流から励磁電流を演算する座標変換手段と、励磁電流指令発生手段と、インバータ回路の出力電圧を、モータ定数設定値と、励磁電流指令と前記励磁電流とを用いて決定する電圧指令発生手段と、励磁電流指令と前記励磁電流が一致するように電圧補正量を作成する電圧指令補正手段とを備え、前記電圧補正量と予め設定した所定値とを比較して前記同期モータの脱調を検出することを特徴とする冷蔵庫。
【請求項１０】
洗濯槽兼脱水槽と、該洗濯槽兼脱水槽の底部に配置した撹拌翼と、前記洗濯槽兼脱水槽を内蔵する外槽と、前記撹拌翼あるいは洗濯槽兼脱水槽を回転させる同期モータを備えた洗濯機において、
前記同期モータの制御装置が、直流電圧を３相交流電圧に変換して同期モータを駆動するインバータ回路と、同期モータに流れる電流を検出する電流検出手段と、指令速度に従って制御処理を行う制御回路と、前記インバータ回路を駆動するドライバとを具備し、
前記制御回路が、前記電流検出手段により検出したモータ電流から励磁電流を演算する座標変換手段と、励磁電流指令発生手段と、インバータ回路の出力電圧を、モータ定数設定値と、励磁電流指令と前記励磁電流とを用いて決定する電圧指令発生手段と、励磁電流指令と前記励磁電流が一致するように電圧補正量を作成する電圧指令補正手段とを備え、前記電圧補正量と予め設定した所定値とを比較して前記同期モータの脱調を検出することを特徴とする洗濯機。
【請求項１１】
塵埃を吸い込むための送風機を備えた本体と、塵埃を吸い込む吸口と、吸口と本体を連通させるホースあるいはパイプ部とを備えた掃除機において、
前記送風機を駆動する同期モータの制御装置が、直流電圧を３相交流電圧に変換して同期モータを駆動するインバータ回路と、同期モータに流れる電流を検出する電流検出手段と、指令速度に従って制御処理を行う制御回路と、前記インバータ回路を駆動するドライバとを具備し、
前記制御回路が、前記電流検出手段により検出したモータ電流から励磁電流を演算する座標変換手段と、励磁電流指令発生手段と、インバータ回路の出力電圧を、モータ定数設定値と、励磁電流指令と前記励磁電流とを用いて決定する電圧指令発生手段と、励磁電流指令と前記励磁電流が一致するように電圧補正量を作成する電圧指令補正手段とを備え、前記電圧補正量と予め設定した所定値とを比較して前記同期モータの脱調を検出することを特徴とする掃除機。
【手続補正書】
【提出日】平成17年5月24日(2005.5.24)
【手続補正１】
【補正対象書類名】明細書
【補正対象項目名】００６１
【補正方法】変更
【補正の内容】
【００６１】
このとき、前記順方向の２次指令パルス(OUTP)がＰＧ−ＯＵＴ偏差カウンタ(54)に入力し、前述の「溜まりパルス＝逆方向の２次指令パルス(OUTP)をカウントしたもの」が存在する場合には減算されることになり、ＰＧ−ＯＵＴ偏差カウンタ(54)にはその差が記憶されることになる。このようにして、「溜まりパルス」の吐き出しが行われる。定速駆動においてこのような偏差維持制御が行われるので、ロータ(1a)の回転ムラが抑制され振動がなくなる。
【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
ＣＧアニメーション、映像情報、文字情報および音声情報の少なくとも１つからなるイベント情報を記憶する記憶部と、上記イベント情報を生成するイベント情報生成部と、上記イベント情報を処理するイベント処理部および上記イベント情報を表示する編集ウインドウを有する映像データ編集装置からなり、上記記憶部に上記イベント情報のイベントタイプを記憶する機能、上記編集ウインドウにモニタウインドウを表示する機能および上記記憶部に記憶されている上記イベント情報のイベントタイプに基いて上記モニタウインドウに上記イベントタイプの一覧を表示するための表示イベントタイプ選択ボタンを表示したことを特徴とする映像データ編集装置。
【請求項２】
請求項１記載の映像データ編集装置において、上記表示イベントタイプ選択ボタンの選択により、上記記憶部から上記イベント情報を読み出し、上記イベント情報のうち、表示イベントタイプ毎に上記表示イベントタイプの一覧を上記モニタウインドウに表示することを特徴とする映像データ編集装置。
【請求項３】
請求項２記載の映像データ編集装置において、上記表示イベントタイプ選択ボタンの所定のイベントタイプを選定することにより、上記選択されたイベントタイプの上記所定のイベントの一覧が表示されることを特徴とする映像データ編集装置。
【請求項４】
請求項３記載の映像データ編集装置において、上記所定のイベントの一覧の内の所定のイベントを選択することにより上記イベントの編集方法の一覧と上記編集方法の一覧の内の一つの編集方法に対応するデータ処理の一覧を表示することを特徴とする映像データ編集装置。
【請求項５】
ＣＧアニメーション、映像情報、文字情報および音声情報の少なくとも１つからなるイベント情報を記憶する記憶部と、上記イベント情報を生成するイベント情報生成部と、上記イベント情報を処理するイベント処理部および上記イベント情報を表示する編集ウインドウを有する映像データ編集装置において、上記記憶部に上記イベント情報のイベントタイプを記憶し、上記編集ウインドウにモニタウインドウを表示し、上記記憶部から読み出される上記イベント情報のイベントタイプに基いて上記モニタウインドウに上記イベントタイプの一覧を表示することを特徴とする映像データ編集方法。
【手続補正書】
【提出日】平成17年5月27日(2005.5.27)
【手続補正１】
【補正対象書類名】明細書
【補正対象項目名】特許請求の範囲
【補正方法】変更
【補正の内容】
【特許請求の範囲】
【請求項１】
コンピュータグラフィックスアニメーションや動画像、音楽ファイル、音声合成装置などを用いた動画像生成編集技術を用いた番組制作装置において、
前記番組の編集作業によって不確定になったタイムコードの値の表示が、該不確定となったことを示す表示を行うことを特徴とする番組制作方法。
【請求項２】
請求項１に記載の番組制作方法において、
番組内容を記述したイベント列のうちの所定のイベントに関して編集作業を行ったときは、該イベントの下にあるイベント群のタイムコードの値が不定であることを表す表示を行うことを特徴とする番組制作方法。
【請求項３】
請求項２に記載の番組制作方法において、
前記イベント群のタイムコードの値の末尾にクエスチョンマークを付加して表示して、タイムコードの値が不確定であることをオペレータに明示することを特徴とする番組制作方法。
【手続補正２】
【補正対象書類名】明細書
【補正対象項目名】００１８
【補正方法】変更
【補正の内容】
【００１８】
名前項目４６１では、セリフをしゃべるキャラクタの名前を設定する。すなわち、「ＭＥＧＡ」という名前のキャラクタが設定されている。セリフ項目４６２では、セリフの内容を設定する。オペレータがキーボード２１１で文字列を打ち込むと、該項目４６２に打ち込んだ内容が表示される。図４では、「おはよう」というセリフを「どう？皆にも分かったかな？」というセリフに変更しようとする例を示している。セリフ対象アイコン４６３には、セリフをしゃべるキャラクタの画像が表示される。詳細設定群４６４では、セリフの速さやピッチなどの詳細設定を行う。プレビューボタン４６５をマウス２１１でクリックすると、図示していない再生画面が立上り、実際にキャラクタがセリフをしゃべり出す。ＯＫボタン４６６をクリックすると、該ダイアログ４６０が閉じ、設定内容が内部メモリに保存される。キャンセルボタン４６７をクリックすると、該ダイアログ４６０が閉じ、設定内容は内部メモリに保存されず、破棄される。更新ボタン４６８、設定内容が内部メモリに保存される。